(57)【特許請求の範囲】
【請求項１】
竿管（１）と該竿管（１）の竿尻側にグリップとして外嵌装着されたコルクグリップ（２）とを備えた釣竿であって、
前記竿管（１）には、該竿管（１）の外径よりも内径の径大な径大部（７）と前記竿管（１）に外嵌可能な内径の径小部（６）とを有する筒状スペーサー（３）が、前記径小部（６）を介して外嵌装着されてなり、前記コルクグリップ（２）は、前記筒状スペーサー（３）を介して前記竿管（１）に外嵌装着されてなり、
前記筒状スペーサー（３）は、前記コルクグリップ（２）のコルクよりも硬度及び剛性が高い部材で構成されてなり、
前記径小部（６）は、グリップの竿先側の端縁から竿尻端に向けて形成されており、竿管（１）の竿尻端は、前記径小部（６）の竿尻端と略面一状態となっており、径大部（７）の内側は、空隙となっていることを特徴とする釣竿。
【発明の詳細な説明】
【０００１】
【発明の属する技術分野】
本発明は、釣竿に関し、詳しくは、グリップとして、コルク製の所謂コルクグリップを備えた釣竿に関する。
【０００２】
【従来の技術】
従来、この種の釣竿としては、図５に示すものが知られている。
即ち、同図に示す如く、竿管１に外嵌装着されたリールシート５の竿尻側にコルクリヤグリップ２が設けられてなるものである。
このコルクリヤグリップ２は、コルクのみによって形成され且つ一端側が閉塞され他端側が開口した筒状のもので、フロントグリップ３１と共にリールシート５を挟むように、図６に示すごとく、竿管１のリールシート５の外嵌された部分よりも竿尻側の周面に、開口した端縁側からはめ込まれて、竿管１に外嵌装着されている。
【０００３】
このような釣竿によれば、コルクリヤグリップ２によってグリップの径が竿管１よりも大きく形成されて握りやすく、しかも、コルクの優れた耐滑性、特に湿潤時おける耐滑性によって、海水等でグリップが濡れても、滑ることなく握ることができるものである。
【０００４】
【発明が解決しようとする課題】
しかしながら、上記の如く構成された釣竿は、握りやすいようグリップの径を設定するとコルク厚が厚肉となるところ、コルク自体が比較的剛性の低いもの（脆いもの）で、また、捻れに対して弱いものであるため、例えば、大きな魚がヒットしてグリップを強く握ったり捻ったりした際等には、コルクが圧縮や捻れに耐えられず、表面に亀裂が発生したり、局部的に砕けたりする等、グリップが損傷する場合があった。
【０００５】
一方、釣竿は、仕掛けを投げ込む為に振り回したり、当たりを待つために長時間持ち続けたりすることから、できるだけ軽量のものが要望されている。
【０００６】
そこで、本発明は、上記従来の問題点及び要望に鑑みなされたもので、滑りにくくて握りやすく、損傷する虞の少ないグリップを備えつつ、軽量化の考慮された釣竿を提供することを課題とするものである。
【０００７】
上記課題を解決すべく、本発明にかかる釣竿は、竿管と該竿管の竿尻側にグリップとして外嵌装着されたコルクグリップとを備えた釣竿であって、
前記竿管には、該竿管の外径よりも内径の径大な径大部と前記竿管に外嵌可能な内径の径小部とを有する筒状スペーサーが、前記径小部を介して外嵌装着されてなり、前記コルクグリップは、前記筒状スペーサーを介して前記竿管に外嵌装着されてなり、
前記筒状スペーサーは、前記コルクグリップのコルクよりも硬度及び剛性が高い部材で構成されてなり、
前記径小部は、グリップの竿先側の端縁から竿尻端に向けて形成されており、竿管の竿尻端は、前記径小部の竿尻端と略面一状態となっており、径大部の内側は、空隙となっていることを特徴とする。
【０００８】
上記構成からなる釣竿においては、グリップとしてコルクグリップが外嵌装着されてなるので、滑りにくいものとなり、又、管状スペーサー及びコルクグリップの分だけグリップの外径が竿管よりも大きく形成されていることから握りやすく、しかも、管状スペーサーを使用せずにグリップを同外径に構成した場合に比べて、筒状スペーサーが介在する分だけ、コルクの厚さを薄肉とでき、コルク表面に亀裂が発生する等のグリップの損傷する虞も減少する。
また、筒状スペーサーは、径大部を有してなるので、径大部のない筒状スペーサーを使用した場合に比べて、仮に径大部内に竿管が存在する場合であっても径大部の内周面と竿管の外周面との間に空隙が形成され、径大部内に竿管が存在しない場合には空隙が増大することから、グリップの内側において、空隙が形成され又は増大することとなる。
【０００９】
本発明においては、前記筒状スペーサーが前記コルクグリップのコルクよりも硬度及び剛性が高い部材で構成されてなる。かかる構成を採用することにより、スペーサーの介在する分だけコルク厚の厚肉なコルクグリップに比べて、グリップを強く握ったり捻ったりした際のコルクグリップ表面の変形量が減少し、コルクの表面に亀裂が発生する等のグリップの損傷する虞も減少する。
【００１０】
【発明の実施の形態】
以下、本発明の実施の形態に付いて、図面を参照しつつ説明する。
〈第一実施形態〉
図１に示すように、第一実施形態の釣竿は、ルアー用の釣竿で、一般にベイトリールと称される同軸リール３０が取り付けられて使用されるものである。
【００１１】
このリールを装着するためのリールシート５は、全体としてパイプ状に形成された、所謂パイプシートと称されるタイプのものであり、竿管１に外嵌装着されている。即ち、竿管１はリールシート５を軸方向の前後に貫通している。そして、このリールシート５の竿尻側には、筒状スペーサー３を介した状態で、コルクのみから形成されたコルクグリップ２がリヤグリップとして外嵌装着されている。
【００１２】
前記筒状スペーサー３は、竿管１の外径よりも内径の径大な径大部７と竿管１に外嵌可能な内径の径小部６とを有してなる。
この筒状スペーサー３の構成について、より詳しく説明すると、先ず、コルクリヤグリップ２を構成するコルクよりも高弾性、高剛性の部材から構成され且つ竿管１の外径よりも内径が径大に形成された筒状のスペーサー本体８を備えてなる。
このスペーサー本体８には、一端を閉塞端とすべく、一端側に熱可塑性プラスチック等からなる円柱体１０が嵌入されている。
【００１３】
また、他端側には、スペーサー本体８よりも径小で且つ軸心方向長の短く設定された筒状体１１が他端縁と面一状態となるまで嵌入され、筒状体１１の内径分だけ開口している。
この筒状体１１の内径は、竿管１の外径と略同長に設定されており、そして、この筒状体１１の設けられた部分が、他の部分より径小で且つ竿管１に外嵌可能な径長に設定された前記径小部６となり、筒状スペーサー３の開口端縁から軸心方向の所定の長さ（筒状体１１の長さ）までの部分に連続した状態で形成されている。
更に、筒状体１１が設けられず、スペーサー本体８内周面が露出した部分が、前記竿管１の外径よりも径大な径大部７として形成されている。
尚、径大部７の内側は、空隙２０となっている。
【００１４】
前記筒状スペーサー３は、パイプシートの外嵌された竿管１の竿尻端側を前記径小部６の内孔に嵌入することにより、該竿管１の周面に外嵌された状態で且つパイプシートと連続するようにパイプシートの更に竿尻側に設けられている。
尚、径小部６は、グリップの竿先側の端縁から竿尻端１５に向けて所定の長さの範囲に形成されており、竿管１の嵌入可能な長さは、径小部６と略同じ長さで、該長さ分竿管１が嵌入されて、該竿管１の竿尻端１ａが前記径小部６の竿尻端６ａと略面一状態となっている。
【００１５】
前記コルクリヤグリップ２は、コルクのみから、一端が閉塞端で他端が開口端とされた筒状に形成されてなり、開口端側から筒状スペーサー３の外周側に接着剤を介して外嵌され、接着剤等によって脱抜が防止されている。
【００１６】
＜参考形態＞
次に、参考形態の釣竿について、説明する。
尚、参考形態について、第一実施形態と同じ構成の部分については、その説明を省略する。
参考形態の釣竿は、図２に示すように、竿管１の竿尻端１ａと、該竿管１に外嵌されたリールシート５の竿尻端５ａが略面一状態となるように構成されている。
【００１７】
前記リールシート５の竿尻端側には、筒状スペーサー３の竿先側を嵌入して、グリップを連結するための被嵌入孔１２が形成されている。
この被嵌入孔１２には、前記筒状スペーサー３の径小部６が嵌入部１３として嵌入され、更に、筒状スペーサー３の径小部６が被嵌入孔１２内にある竿管１には、径小部６が外嵌されて構成されている。
【００１８】
さらに、筒状スペーサー３の径小部６以外の部分、即ち、被嵌入孔１３から露出した部分には、リヤグリップとしてコルクリヤグリップ２が外嵌されて参考形態の釣竿が構成されている。
尚、参考形態のコルクリヤグリップ２としては、例えば、軸心長さ２００ｍｍ、内径２０．０ｍｍ、外径２６．０ｍｍ、筒状スペーサー３としては、軸心長さ２２０ｍｍ、内径１９．０ｍｍ、外径２０．０ｍｍに設定されたものが使用されている。
【００１９】
尚、上記第一実施形態及び参考形態の釣竿は、上記の如く構成されたが、本発明にかかる釣竿は、上記構成に限定されず、適宜設計変更可能である。
例えば、上記第一実施形態、参考形態において、径小部６は、筒状スペーサー３の開口端縁から連続した状態で形成されたが、本発明においては、例えば、図３に示す如く、径小部６が２カ所に形成され、該径小部６間に径大部７が形成される場合であっても良い。
【００２０】
かかる構成によれば、より一層の軽量化が可能となるという利点を有する。
【００２１】
また、上記第一実施形態、参考形態において、竿管１の竿尻端１ａが径小部６の竿尻端６ａと略面一状態となるように形成されたが、例えば、図４に示すように、竿管１の竿尻端１ａが径小部６の竿尻端６ａから更に竿尻側に突出するような釣竿もある。
但し、突出した分だけ空隙２０の量が減少し、軽量化の効率が悪くなることから、前記竿管１の竿尻端１ａと前記径小部６の竿尻端６ａが略面一状態となる構成が好ましい。
【００２２】
さらに、上記第一実施形態及び参考形態においては、コルクグリップ２がリヤグリップとして外嵌装着された場合について説明したが、コルクグリップ２がリールシート５の竿先側に外嵌装着される所謂フロントグリップとして使用される場合、例えば、竿管１のリールシート５が外嵌装着された部分よりも竿先側に、径小部６と径大部７を有する筒状スペーサー３が、径小部６を介して外嵌装着され、該筒状スペーサー３に両端が開口した筒状のコルクグリップ２が外嵌装着される場合もある。
【００２３】
【発明の効果】
以上のように、本発明にかかる釣竿は、グリップが損傷する虞も少なく、しかも、滑りにくくて握り易いという利点を有する。
さらに、径大部のない筒状スペーサーを使用した場合に比べて、グリップの内側において空隙が形成され又は増大し、軽量化の図られたものとなる。
【図面の簡単な説明】
【図１】第一実施形態の釣竿を示す断面図。
【図２】参考形態の釣竿を示す断面図。
【図３】他実施形態の釣竿を示す断面図。
【図４】他の釣竿を示す断面図。
【図５】従来の釣竿を示す側面図。
【図６】図４のＡ−Ａ線断面図。
【符号の説明】
１・・・竿管、２・・・コルクリヤグリップ２（コルクグリップ）、３・・・筒状スペーサー、６・・・径小部、７・・・径大部
【図１】
0004377518.tif 000002
【図２】
0004377518.tif 000003
【図３】
0004377518.tif 000004
【図４】
0004377518.tif 000005
【図５】
0004377518.tif 000006
【図６】
0004377518.tif 000007